(57)【要約】【課題】  穿刺傷が形成された皮膚の部分に貼り付けられて、一度形成した穿刺傷から複数回の採血を行うことを可能にする穿刺傷保護シートを提供する。【解決手段】  穿刺傷保護シート１０は、シート部１１と貼り返し部１２とを備えている。貼り返し部１２は、その裏面側にゲル状シート１３を有している。ゲル状シート１３は、穿刺傷保護シート１０のシート部１１における貼り返し部１２の裏面側に貼り付けられており、穿刺傷Ｓの形成箇所を含む皮膚の部分と直接接触する。【選択図】      図２
2005304924.tif 000002
【特許請求の範囲】
【請求項１】
採血を行うために穿刺器具によって形成された穿刺傷を保護する穿刺傷保護シートであって、
前記穿刺傷を覆うように前記穿刺傷が形成された皮膚の部分に貼り付けられるシート部と、
前記シート部における前記皮膚への貼り付け面側に設けられており、前記穿刺傷を覆うように貼り付けられるとともに、前記穿刺傷から流出する血液の凝固を抑制する血液凝固抑制部と、
を備えている穿刺傷保護シート。
【請求項２】
前記血液凝固抑制部は、前記穿刺傷が空気に触れることを禁止するゲル状物を有している、
請求項１に記載の穿刺傷保護シート。
【請求項３】
前記血液凝固抑制部は、前記穿刺傷から流出する血液の凝固を抑制する抗凝固剤を有している、
請求項１または２に記載の穿刺傷保護シート。
【請求項４】
前記抗凝固剤は、ヘパリンまたはウロキナーゼである、
請求項３に記載の穿刺傷保護シート。
【請求項５】
前記血液凝固抑制部は、前記穿刺傷に対して繰り返し貼り付け可能である、
請求項１から４のいずれか１項に記載の穿刺傷保護シート。
【請求項６】
前記シート部は、前記穿刺傷を形成する場合あるいは再度採血を行う場合において、前記血液凝固抑制部を前記穿刺傷から離反して前記穿刺傷を露出させる貼り返し部を有している、
請求項１から５のいずれか１項に記載の穿刺傷保護シート。
【請求項７】
前記シート部における前記穿刺傷を形成する部分に取り付けられており、前記穿刺器具の先端部を案内するガイド部をさらに備えている、
請求項１から６のいずれか１項に記載の穿刺傷保護シート。
【発明の詳細な説明】
【技術分野】
【０００１】
本発明は、採血を行う際に形成される穿刺傷を保護する穿刺傷保護シートに関する。
【背景技術】
【０００２】
近年、糖尿病患者等の増加に伴って、血糖値測定を自分で行うために患者自らが穿刺器具を用いて指先や腕等に穿刺傷を形成して採血を行うケースが増加している。
【０００３】
穿刺器具は、穿刺傷を形成する皮膚の部分に対して先端部分を当接させた状態で、内部に収納されている穿刺針を先端部分に向けて発射する。これにより、穿刺器具の先端部分を当接させている皮膚の部分に、穿刺針が刺さって形成される穿刺傷を得ることができる（特許文献１，２参照）。
【特許文献１】特開２０００−２４５７１７号公報（平成１２年９月１２日公開）
【特許文献２】特許２５９８２２９号公報（平成９年１月９日登録）
【特許文献３】特開平０６−２５４１４８号公報（平成６年９月１３日公開）
【発明の開示】
【発明が解決しようとする課題】
【０００４】
しかしながら、上記従来の穿刺器具を用いて形成した穿刺傷からの採血方法では、以下に示すような問題点を有している。
【０００５】
すなわち、穿刺器具を用いた穿刺傷の形成は、毎日複数回の血糖値測定を行う糖尿病患者にとって大きな苦痛、恐怖感を与える。このため、糖尿病患者等にとっては、穿刺傷を形成する回数はできる限り少ない方が好ましい。しかし、形成された穿刺傷から流出する血液は、時間の経過とともに凝固してしまうため、一度形成した穿刺傷から何回も採血を行うことは困難であった。
【０００６】
また、穿刺傷を保護するために皮膚に貼り付けられる従来の絆創膏は、通常、傷の部分が早く治癒するように血液を凝固させる成分を含んでおり、傷を保護するとともに傷の早期回復を促進する機能を有している（特許文献３参照）。このため、採血を行うために形成した穿刺傷を一般的な絆創膏で保護してしまうと、すぐに血液が凝固してしまうため、数時間後に再度その穿刺傷から採血を行うことはできない。
【０００７】
本発明の課題は、穿刺傷が形成された皮膚の部分に貼り付けられて、一度形成した穿刺傷から複数回の採血を行うことを可能にする穿刺傷保護シートを提供することにある。
【課題を解決するための手段】
【０００８】
請求項１に記載の穿刺傷保護シートは、採血を行うために穿刺器具によって形成された穿刺傷を保護する穿刺傷保護シートであって、シート部と血液凝固抑制部とを備えている。シート部は、穿刺傷を覆うように穿刺傷が形成された皮膚の部分に貼り付けられる。血液凝固抑制部は、シート部における皮膚への貼り付け面側に設けられており、穿刺傷を覆うように貼り付けられるとともに、穿刺傷から流出する血液の凝固を抑制する。
【０００９】
ここでは、穿刺針によって形成された穿刺傷に対して、穿刺傷から流出する血液の凝固を抑制する血液凝固抑制部が接触するように穿刺傷保護シートを貼り付ける。
【００１０】
通常、穿刺器具を用いて穿刺傷を形成し、その穿刺傷から採血する方法では、一度採血した穿刺傷では血液がすぐに凝固してしまうため、血液が凝固した後で穿刺傷の周辺の皮膚を圧迫しても出血しない。このため、一度採血を行った穿刺傷から再度採血を行うことは困難であった。
【００１１】
そこで、本発明の穿刺傷保護シートでは、血液凝固抑制部によって穿刺傷から出血する血液の凝固を抑制する。これにより、再度採血する際には穿刺傷保護シートをはがして穿刺傷付近を圧迫するだけで穿刺傷から流出する血液を採取することができる。よって、血液を採取する際に毎回穿刺傷を形成しなくても済むため、血糖値を測定するために毎日数回の血液採取が必要な糖尿病患者等のユーザに対して、穿刺傷を形成する回数を減らし、穿刺傷を形成する際の痛み、恐怖等の不快感を大幅に軽減することができるという効果を与えることができる。
【００１２】
また、採血時以外には血液凝固抑制部によって穿刺傷が覆われているため、穿刺傷から雑菌が入ることを防止できる。さらに、穿刺の回数を減らすことで、穿刺傷を形成するためのランセットデバイスの使用頻度が少なくなるため、穿刺針等の使い捨て部材の購入数も減らすことができ、ユーザの経済的負担を軽減することもできる。
【００１３】
請求項２に記載の穿刺傷保護シートは、請求項１に記載の穿刺傷保護シートであって、血液凝固抑制部は、穿刺傷が空気に触れることを禁止するゲル状物を有している。
【００１４】
ここでは、穿刺傷をゲル状物によって覆うため、穿刺傷が空気と接触して血液が凝固することを抑制できる。
【００１５】
これにより、血液の非凝固状態を数時間保持することができるため、再度血液を採取する際には、穿刺傷付近の皮膚を圧迫するだけで容易に穿刺傷から血液を流出させることができる。よって、毎日数回の血液採取が必要な糖尿病患者等のユーザが穿刺傷を形成する際に与えられる痛みや恐怖を、穿刺傷を形成する回数を減らすことで和らげることができる。
【００１６】
請求項３に記載の穿刺傷保護シートは、請求項１または２に記載の穿刺傷保護シートであって、血液凝固抑制部は、穿刺傷から流出する血液の凝固を抑制する抗凝固剤を有している。
【００１７】
ここでは、穿刺傷を含む部分を、抗凝固剤を含む血液凝固抑制部で覆うため、穿刺傷から流出する血液の凝固を抑制することができる。
【００１８】
これにより、最低数時間は血液の凝固を抑制することができるため、再度血液を採取する際には、穿刺傷付近の皮膚を圧迫するだけで容易に穿刺傷から血液を流出させることができる。よって、毎日数回の血液採取が必要な糖尿病患者等のユーザが穿刺傷を形成する際に与えられる痛みや恐怖を、穿刺傷を形成する回数を減らすことで和らげることができる。
【００１９】
請求項４に記載の穿刺傷保護シートは、請求項３に記載の穿刺傷保護シートであって、抗凝固剤は、ヘパリンまたはウロキナーゼである。
【００２０】
ここでは、穿刺傷から流出する血液を固まらせないための抗凝固剤としてヘパリンやウロキナーゼを用いることができる。
【００２１】
請求項５に記載の穿刺傷保護シートは、請求項１から４のいずれか１項に記載の穿刺傷保護シートであって、血液凝固抑制部は、穿刺傷に対して繰り返し貼り付け可能である。
【００２２】
ここでは、血液凝固抑制部を、穿刺傷を形成した皮膚に繰り返し貼り付けることができるため、血液を採取するたびに穿刺傷保護シート全体を皮膚から剥がす必要がない。
【００２３】
これにより、一度貼り付けた穿刺傷保護シートの血液凝固抑制部だけを何度も繰り返し貼り直すことで、穿刺傷からの採血をさらに容易に行うことができる。
【００２４】
請求項６に記載の穿刺傷保護シートは、請求項１から５のいずれか１項に記載の穿刺傷保護シートであって、シート部は、穿刺傷を形成する場合あるいは再度採血を行う場合において、血液凝固抑制部を穿刺傷から離反して穿刺傷を露出させる貼り返し部を有している。
【００２５】
ここでは、シート部が、その一部に形成された貼り返し部を有している。
これにより、採血を行う際には、この貼り返し部を皮膚から剥離するだけで穿刺傷を露出させることができるため、容易に採血を行うことができる。
【００２６】
請求項７に記載の穿刺傷保護シートは、請求項１から６のいずれか１項に記載の穿刺傷保護シートであって、シート部における穿刺傷を形成する部分に取り付けられており、穿刺器具の先端部を案内するガイド部をさらに備えている。
【００２７】
ここでは、穿刺傷を形成する部分に穿刺器具の先端を案内するガイド部を備えている。  これにより、穿刺傷を形成する際には、まず穿刺傷を形成しようとする部分に穿刺傷保護シートを貼り付け、穿刺傷保護シートが有しているガイド部に穿刺器具の先端をあわせて穿刺針を発射する。これにより、ガイド部材によって決められる穿刺傷を形成しようとする部位に対して、正確に穿刺傷を形成することができる。
【００２８】
さらに、例えば、数回の採血を行った後、穿刺傷からの出血量が減少してきた場合には、このガイド部材に穿刺器具をあわせて穿刺を行うことで、再度同じ場所に穿刺傷を形成することができる。これにより、他の部位に改めて穿刺傷を形成する場合と比較して、ユーザの痛みや苦痛等を緩和することができる。
【発明の効果】
【００２９】
請求項１に記載の穿刺傷保護シートによれば、血液を採取する際に毎回穿刺傷を形成しなくても済むため、血糖値を測定するために毎日数回の血液採取が必要な糖尿病患者等のユーザに対して、穿刺傷を形成する回数を減らし、穿刺傷を形成する際の痛み、恐怖等の不快感を軽減することができる。
【００３０】
請求項２に記載の穿刺傷保護シートによれば、血液の非凝固状態を数時間保持することができるため、再度血液を採取する際には、穿刺傷付近の皮膚を圧迫するだけで容易に穿刺傷から血液を流出させることができる。
【００３１】
請求項３に記載の穿刺傷保護シートによれば、最低数時間は血液の凝固を抑制することができるため、再度血液を採取する際には、穿刺傷付近の皮膚を圧迫するだけで容易に穿刺傷から血液を流出させることができる。
【００３２】
請求項４に記載の穿刺傷保護シートによれば、穿刺傷から流出する血液を固まらせないための抗凝固剤としてヘパリンやウロキナーゼを用いることができる。
【００３３】
請求項５に記載の穿刺傷保護シートによれば、穿刺傷からの採血をさらに容易に行うことができる。
【００３４】
請求項６に記載の穿刺傷保護シートによれば、容易に採血を行うことができる。
請求項７に記載の穿刺傷保護シートによれば、ガイド部材によって決められる穿刺傷を形成しようとする部位に対して、正確に穿刺傷を形成することができる。
【発明を実施するための最良の形態】
【００３５】
〔実施形態１〕
本発明の一実施形態に係る穿刺傷保護シート１０について、図１〜図４を用いて説明すれば以下の通りである。
【００３６】
［穿刺傷保護シート全体の構成］
本発明の一実施形態に係る穿刺傷保護シート１０は、採血を行うために形成された穿刺傷を保護するシート状の保護パットであって、図１に示すように、採血を行うために穿刺器具３０（図４（ａ），図４（ｂ）参照）を用いて穿刺傷を形成しようとする部分を覆うように皮膚に貼り付けられる。また、穿刺傷保護シート１０は、図１に示すように、シート部１１と貼り返し部１２とを備えている。
【００３７】
［シート部］
シート部１１は、図１に示すように、穿刺傷を形成する腕や指先等における穿刺傷を形成する部分を覆うように貼り付けられる。そして、図２に示すように、貼り付け面側（以下、裏面側と示す）に粘着層１１ａを有している。これにより、粘着層１１ａを介して皮膚に貼り付けられることで、穿刺傷保護シート１０が皮膚に貼り付いたままの状態を保つことができる。
【００３８】
そして、シート部１１の中央部付近には、一部分がシート部１１とつながっている切り込みが形成されている。図３に示すように、この切り込み部分をめくることで、穿刺傷を形成する皮膚の部分を露出させて、穿刺傷Ｓを形成することができる。
【００３９】
なお、ここでは、穿刺傷Ｓを形成しようとする位置に穿刺傷保護シート１０を貼り付けた後、穿刺傷保護シート１０の貼り返し部１２をめくって穿刺器具３０を用いて穿刺傷Ｓを形成する例を挙げて説明したが、穿刺傷保護シート１０の貼り付けと穿刺傷Ｓの形成とが前後してもよい。つまり、穿刺器具３０を用いて穿刺傷Ｓを形成した後、穿刺傷Ｓが形成された部分を覆うように穿刺傷保護シート１０を貼り付けることもできる。
【００４０】
［貼り返し部］
貼り返し部１２は、シート部１１の一部を長方形に切り抜いた部分であって、長方形を構成する３辺に切り込みを入れて形成されている。そして、図３に示すように、この部分を長方形の残りの一辺と対向する辺側から持ち上げて穿刺傷Ｓを形成しようとする部分を露出させる。これにより、露出した皮膚に穿刺器具３０を用いて穿刺傷Ｓを形成することができる。また、穿刺傷Ｓの形成後には、すでに形成された穿刺傷Ｓを露出させて穿刺傷Ｓ周辺の皮膚を圧迫するだけで採血を行うことができる。
【００４１】
なお、貼り返し部１２は、穿刺傷Ｓの形成時や採血時以外には、上記切り込みにより形成された長方形の各辺に沿って形成された粘着層１２ａ（図２、図３参照）を介してシート部１１の表面側に貼り付けられる。これにより、被採血者が最初に穿刺傷Ｓを形成した後に作業等を行った場合でも、貼り返し部１２が皮膚から剥がれて穿刺傷Ｓが形成された部分を露出させることを防止できる。
【００４２】
また、貼り返し部１２は、図２に示すように、その裏面側にゲル状シート（血液凝固抑制部、ゲル状物）１３を有している。
【００４３】
ゲル状シート１３は、穿刺傷保護シート１０のシート部１１における貼り返し部１２の裏面側に貼り付けられており、穿刺傷Ｓの形成箇所を含む皮膚の部分と直接接触する。そして、図２に示すように、ゲル状シート１３は、形成された穿刺傷Ｓが空気と接触することを防止するとともに、ゲルの中にヘパリン、ウキナーゼ等の抗凝固剤を含んでおり、穿刺傷Ｓから流出する血液が凝固することを抑制する。
【００４４】
本実施形態の穿刺傷保護シート１０では、穿刺傷Ｓの形成時、採血時を除いて、上記のような抗凝固剤を含むゲル状シート１３を穿刺傷Ｓに対して接触させた状態として穿刺傷Ｓを保護する。
【００４５】
［穿刺器具］
本実施形態において穿刺傷Ｓの形成に使用される穿刺器具３０は、図４（ａ）に示すように、先端部３１と本体部３２とを備えている。そして、穿刺傷Ｓを形成する際には、先端部３１の先端面３１ａを皮膚に当接させた状態で、本体部３２の内部に収納されているバネ等の付勢力部によって穿刺針３３を発射して、図４（ｂ）に示すように、先端面３１ａに形成された開口から穿刺針３３を突出させる。
【００４６】
これにより、先端面３１ａと当接している皮膚の部分に対して穿刺針３３を突き刺して、容易に穿刺傷Ｓを形成することができる。
【００４７】
［本穿刺傷保護シートの使用方法］
本実施形態の穿刺傷保護シート１０は、以下のようにして被採血者に使用される。
【００４８】
すなわち、まず、採血を行う被採血者によって採血を行う部位が決定され、その部位における穿刺傷Ｓの形成箇所に穿刺傷保護シート１０が貼り付けられる。そして、穿刺傷保護シート１０の貼り返し部１２をめくり、穿刺傷Ｓを形成する皮膚を露出させる。次に、貼り返し部１２をめくることで露出させた皮膚に穿刺器具３０の先端部３１の先端面３１ａを当接させる。そして、穿刺器具３０の先端部３１から穿刺針３３を突出させて皮膚に突き刺し、穿刺傷Ｓを形成する。
【００４９】
ここで、形成した穿刺傷Ｓの周囲の皮膚を圧迫する等して、１回目の採血を行う。
本実施形態の穿刺傷保護シート１０では、その後、同じ穿刺傷Ｓから複数回の採血を可能にするために、形成した穿刺傷Ｓの部分を貼り返し部１２の裏面側に貼り付けたゲル状シート１３で覆っている。そして、次回、採血を行う場合には、この貼り返し部１２をめくって穿刺傷Ｓを露出させ、再び穿刺傷Ｓ付近の皮膚を圧迫する等して穿刺傷Ｓから出血させる。
【００５０】
そして、一度形成した穿刺傷Ｓにおいて血液が凝固して採血できなくなるまでは、このような処理を繰り返すことで、同じ穿刺傷Ｓから複数回の採血を行うことができる。
【００５１】
［穿刺傷保護シートの特徴］
（１）
本実施形態の穿刺傷保護シート１０は、図２に示すように、穿刺器具３０によって形成された穿刺傷Ｓを覆うために、貼り返し部１２の裏面側に貼り付けられたゲル状シート１３を備えている。
【００５２】
ここで、通常の採血方法では、形成した穿刺傷に絆創膏等を貼り付けて保護し、時間の経過とともに血液が凝固して穿刺傷が自然に治癒して傷口が塞がっていく。このため、再度採血を行う場合には、また別の場所に穿刺器具３０を用いて穿刺を行って穿刺傷Ｓを形成する必要がある。このため、被採血者、特に、糖尿病患者のように血糖値測定のために毎日複数回の採血が必要な被採血者にとって穿刺傷Ｓを形成する際の痛みや恐怖感は耐えがたいものであることから、多くの被採血者がこの痛み等から解放されることを強く望んでいる。
【００５３】
そこで、本実施形態の穿刺傷保護シート１０では、一度形成した穿刺傷Ｓを、ゲル状シート１３で覆って保護している。
【００５４】
これにより、ゲル状物により穿刺傷Ｓを覆うことで穿刺傷Ｓが空気と接触して血液が凝固することを抑制し、かつゲル状シート１３に含まれる抗凝固剤が穿刺傷に接触することで血液の凝固を抑制することができる。この結果、被採血者は、一度形成した穿刺傷Ｓから数時間経過していても、穿刺傷Ｓの付近の皮膚を圧迫するだけで再度採血を行うことが可能になる。よって、採血時以外は雑菌が入らないように穿刺傷Ｓを保護するとともに、採血を行う度に行う必要があった穿刺傷の形成回数を大幅に減らして、被採血者に与えられる苦痛や恐怖感を緩和することができる。さらに、穿刺の回数が減少するため、穿刺器具３０が備えている穿刺針３３等の使い捨て部材の購入数を減らすことができ、被採血者の経済的負担を軽減することができる。
【００５５】
（２）
本実施形態の穿刺傷保護シート１０は、血液凝固抑制部として、ゲル状シート１３を用いている。
【００５６】
これにより、採血時以外はゲル状部分によって穿刺傷の部分が空気との接触を絶つことができるため、穿刺傷Ｓが空気と接触して血液が凝固することを抑制することができる。よって、一度形成した穿刺傷Ｓから複数回の採血を行うことができる。
【００５７】
（３）
本実施形態の穿刺傷保護シート１０は、血液凝固抑制部として、ヘパリン、ウキナーゼ等の抗凝固剤を含むゲル状シート１３を用いている。
【００５８】
これにより、抗凝固剤が穿刺傷Ｓに接触することにより、穿刺傷Ｓにおいて血液が凝固することを抑制することができる。よって、一度形成した穿刺傷Ｓから複数回の採血を行うことができる。
【００５９】
（４）
本実施形態の穿刺傷保護シート１０は、血液凝固抑制部としてのゲル状シート１３を、形成した穿刺傷Ｓに対して繰り返し貼り付けることが可能である。
【００６０】
これにより、穿刺傷Ｓの形成時や採血時に、貼り返し部１２をめくり上げてゲル状シート１３を穿刺傷Ｓから何度も離間させた場合でも、採血時以外にはゲル状シート１３を穿刺傷Ｓの部分に密着させることができる。よって、一度形成した穿刺傷Ｓからの採血を何回も行う場合でも、穿刺傷保護シート１０によって穿刺傷Ｓから流出する血液の凝固を確実に抑制し、かつ穿刺傷Ｓを保護することができる。
【００６１】
（５）
本実施形態の穿刺傷保護シート１０は、穿刺傷Ｓの形成時や採血時において、ゲル状シート１３を穿刺傷Ｓから離間させる貼り返し部１２を有している。
【００６２】
これにより、シート部１１の一部として形成された貼り返し部１２をめくるだけで、容易に穿刺傷Ｓを露出させて採血を行うことが可能になる。
【００６３】
〔実施形態２〕
本発明の他の実施形態に係る穿刺傷保護シート２０について、図５（ａ）、図５（ｂ）および図６を用いて説明すれば以下の通りである。なお、上記実施形態１において説明した部材と用途および機能が共通の部材については、同じ符号を付してその説明を省略する。
【００６４】
本実施形態の穿刺傷保護シート２０は、ガイド部材（ガイド部）２１を有している点で、上述した穿刺傷保護シート１０と異なっているが、その他の構成については同様である。
【００６５】
［ガイド部材］
ガイド部材２１は、図５（ａ）に示すように、穿刺器具３０の先端部３１の形状に合わせて作られた略長方形のリング状の部材である。そして、図５（ｂ）に示すように、貼り返し部１２をめくって形成されるシート部１１の開口部分に配置されている。
【００６６】
また、ガイド部材２１には、図６に示すように、穿刺器具３０の先端部３１が、そのリング形状の内側の面に沿って差し込まれる。このとき、穿刺器具３０の先端面３１ａが、穿刺傷Ｓを形成する皮膚に対して当接した状態となる。
【００６７】
［本穿刺傷保護シートの特徴］
本実施形態の穿刺傷保護シート２０は、ガイド部材２１を備えており、このガイド部材２１は、貼り返し部１２をめくって形成されるシート部１１の開口部分に配置され、穿刺器具３０の先端部３１を、穿刺傷Ｓを形成する皮膚と当接するまで案内する。
【００６８】
これにより、ガイド部材２１に穿刺器具３０の先端部３１を挿入することで、ガイド部材２１によって決められる所望の位置に、正確に穿刺傷Ｓを形成することができる。
【００６９】
さらに、一度形成した穿刺傷Ｓにおいて血液が凝固する等して採血できなくなった場合には、ガイド部材２１に合わせて穿刺器具３０をセットして再度穿刺することで、同じ位置に穿刺傷Ｓを形成することができる。これにより、別の場所に改めて穿刺傷を形成する場合と比較して、ユーザの痛みや苦痛等を緩和することができる。
【００７０】
なお、ガイド部材２１の内径は、必ずしも穿刺器具３０の先端部３１の外形と一致している必要はなく、先端部３１の外形よりも大きく形成されていてもよい。例えば、視力が悪い糖尿病患者等が穿刺器具３０を使用して穿刺傷を形成する場合でも、ガイド部材２１を目安にすることで、容易に穿刺位置を確認することができる。
【００７１】
［他の実施形態］
以上、本発明の一実施形態について説明したが、本発明は上記実施形態に限定されるものではなく、発明の要旨を逸脱しない範囲で種々の変更が可能である。
【００７２】
（Ａ）
上記実施形態１，２では、穿刺傷保護シート１０を腕に貼り付けている例、つまり穿刺傷を腕に形成して腕から採血を行う例を挙げて説明した。しかし、本発明は穿刺傷の形成箇所に関して上記実施形態の内容に限定されるものではない。
【００７３】
例えば、図７（ａ）に示すように、採血を指先で行う場合には、穿刺傷を形成する指先に貼り付けてもよい。この場合でも、図７（ｂ）に示すように、貼り返し部１２をめくって穿刺傷Ｓを露出させることができる等、上記と同様の効果を得ることができる。
【００７４】
（Ｂ）
上記実施形態１，２では、血液凝固抑制部として、ヘパリン等の抗凝固剤を含むゲル状シート１３を用いた例を挙げて説明した。しかし、本発明はこれに限定されるものではない。
【００７５】
例えば、血液の凝固を抑制するという意味では、抗凝固剤を含まないゲル状シートを血液凝固抑制部として用いてもよい。ゲル状シート単独であっても、穿刺傷Ｓが空気と接触することを防止できるため、血液凝固抑制部としての機能も果たすことができる。
【００７６】
一方、ゲル状シートではなく、シート部１１の裏面側に抗凝固剤を直接塗布してもよい。このような血液凝固抑制部であっても、穿刺傷Ｓを覆うように貼り付けられることで血液の凝固を抑制することができる。
【００７７】
つまり、本発明の穿刺傷保護シートは、抗凝固剤とゲル状物との双方を備えている必要はない。
【００７８】
（Ｃ）
上記実施形態１，２では、ゲル状シート（血液凝固抑制部）１３が有している抗凝固剤として、ヘパリンとウキナーゼを例として挙げて説明した。しかし、本発明はこれに限定されるものではない。
【００７９】
例えば、上記以外の抗凝固剤として、ＥＤＴＡ（エチレンジアミン四酢酸カルシウム）、クエン酸Ｎａ、フッ化ソーダ、メシル酸ガベキセート、アスピリン、アルテプラーゼ等の抗凝固剤を用いることもできる。
【００８０】
また、ガイド部材２１は、穿刺傷Ｓを形成する時だけ、穿刺傷保護シート１０に取り付けられてもよい。
【００８１】
（Ｄ）
上記実施形態２では、ガイド部材２１として略長方形状のリング部材を用いた例を挙げて説明した。しかし、本発明はこれに限定されるものではない。
【００８２】
形状は略長方形に限定されるものではなく、例えば、穿刺傷を形成する穿刺器具３０の先端部分の形状に合わせて、円形や楕円形のリング部材を用いることもできる。
【産業上の利用可能性】
【００８３】
本発明の穿刺傷保護シートは、１回形成した穿刺傷から複数回採血を行うことができるという効果を奏することから、１日に複数回の血液や体液の採取を行う必要がある糖尿病等の患者の採血に広く適用することができる。
【図面の簡単な説明】
【００８４】
【図１】本発明の一実施形態に係る穿刺傷保護シートを示す斜視図。
【図２】図１の穿刺傷保護シートの断面図。
【図３】図１の穿刺傷保護シートの血液凝固抑制部を示す斜視図。
【図４】（ａ），（ｂ）は穿刺器具を示す斜視図。
【図５】（ａ）は穿刺器具のガイド部材を示す斜視図、（ｂ）は図１の穿刺傷保護シート１０に穿刺器具のガイド部材を取り付けた例を示す斜視図。
【図６】図５（ｂ）の穿刺傷保護シートのガイド部材に穿刺器具をあわせて穿刺傷を形成する際の状態を示す斜視図。
【図７】（ａ），（ｂ）は、図１の穿刺傷保護シートを指先に貼り付けた例を示す斜視図。
【符号の説明】
【００８５】
１０      穿刺傷保護シート
１１      シート部
１１ａ    粘着部
１２      貼り返し部
１２ａ    粘着部
１３      ゲル状シート（血液凝固抑制部、ゲル状物）
２０      穿刺傷保護シート
２１      ガイド部材
３０      穿刺器具
３１      先端部
３１ａ    先端面
３２      本体部
３３      穿刺針
Ｓ        穿刺傷
【図１】
2005304924.tif 000003
【図２】
2005304924.tif 000004
【図３】
2005304924.tif 000005
【図４】
2005304924.tif 000006
【図５】
2005304924.tif 000007
【図６】
2005304924.tif 000008
【図７】
2005304924.tif 000009